(57)【要約】【課題】クリックカウントプログラムにエラーが起こっても、リンク先画面が表示され、ユーザーのナビゲーションに影響のないクリックカウントシステムを提供する。また、同一ページに同一リンク先が複数あってもリンク毎に別々にカウントすることができるようにする。リンク先へページが切り替わらなくても、クリックカウントを独立して行うことができるようにする。【解決手段】リンク元画面に、リンク先画面にアクセスするためのクリック部を設けると共に、クリック部を表示するためのクリック表示手段１１と、クリック部ごとに独立してクリック回数をカウントするクリックカウント手段１３と、クリック部をクリックした場合に、リンクされたリンク先画面へのアクセスを、クリックカウント手段１３とは独立して開始するリンク手段１２と、クリックカウント手段１３でカウントされたクリック数を出力する出力手段１４と、を有するクリックカウントシステム。【選択図】  図２
2005099962.tif 000002
【特許請求の範囲】
【請求項１】
ネットワークを介して表示されたリンク元画面と前記リンク元画面からリンクされたリンク先画面とを表示し、前記リンク先画面へのクリック数をカウントするためのクリックカウントシステムであって、
前記リンク元画面に、リンク先画面にアクセスするためのクリック部を設けると共に、
前記クリック部を表示するためのクリック表示手段と、
前記クリック部ごとに独立してクリック回数をカウントするクリックカウント手段と、
前記クリック部をクリックした場合に、
リンクされた前記リンク先画面へのアクセスを、前記クリックカウント手段とは独立して開始するリンク手段と、
前記クリックカウント手段でカウントされたクリック数を出力する出力手段と、
を有することを特徴とするクリックカウントシステム。
【請求項２】
請求項１において、前記出力手段は、更に、前記クリックカウント手段によってクリックをカウントした日時を出力し、日時ごとのクリック数の統計処理を行うことを特徴とするクリックカウントシステム。
【請求項３】
請求項１又は２において、クリックされたクリック部及びそのクリック部の存在するリンク元画面を解析するリンク元解析手段を更に有し、
前記クリックカウント手段は、前記リンク元解析手段が解析したリンク元画面のクリック部ごとにクリック数をカウントし、
前記出力手段は、前記クリックカウント手段でカウントされたリンク元画面のクリック部ごとのクリック数を出力することを特徴とするクリックカウントシステム。
【請求項４】
請求項１〜３のいずれかにおいて、前記出力手段は、更に、リンク元画面のクリック部ごとのクリック数の統計処理を行うことを特徴とするクリックカウントシステム。
【請求項５】
請求項４において、前記出力手段は、更に、クリック数の統計処理の結果を、ネットワークを介して特定の端末に定期的に送信すること特徴とするクリックカウントシステム。
【請求項６】
請求項３〜５のいずれかにおいて、前記リンク元解析手段は、リンク元である検索エンジンで入力されたキーワードから検索エンジン側で生成されたリンクによりリンクされる際に、リンク元から伝達される検索エンジンで入力されたキーワードであることを解析し、
その結果を検索キーワード解析手段に送出すると共に、
前記出力手段は、検索キーワード解析手段により解析されたキーワードに基づきクリック数の統計処理を行うことを特徴とするクリックカウントシステム。
【発明の詳細な説明】
【技術分野】
【０００１】
本発明は、クリックカウントシステムに関し、詳しくは、クリック部をクリックした場合に、リンクされた前記リンク先画面へのアクセスを行う処理を、クリックカウント手段と独立して開始するので、クリック部でエラーが起こってもナビゲーションに影響を与えることのないクリックカウントシステムに関する。
【背景技術】
【０００２】
インターネットなどのネットワークにおいては、ページ間に無数のリンクが張られ、広告等種々の用途に利用されている。
例えば商品広告の場合、リンク元画面上に表示されたクリック部をユーザーがマウス等を操作してクリックすると、クリックカウントプログラムが起動されその中のクリックカウンターによってアクセスされたカウント数をカウントする共に、そのリンク先画面であるメーカー等のホームページが表示される。
【０００３】
例えば、ウェブサーバー側のログを解析する方法においては、利用者があるリンクをリクエストすると、ウェブサーバ側でログを採取すると共にリンク先のページを出力する。また、ページ出力とは別個にウェブサーバー側ログを解析する解析プログラムを起動させ、クリック数を集計している。
【０００４】
このような場合に、広告効果等の目安にすべく、リンク先画面に何回アクセスしたかをカウントするためのクリックカウントプログラムが広く用いられている。
例えば、特許文献１には、ネットワークを介して表示された画面にクリック部を表示するためのクリック表示部と、このクリック表示部によって表示されたクリック部ごとに独立してクリック回数をカウントする処理を行うクリックカウント部と、このクリックカウント部でカウントされたクリック回数を出力する出力部を有することを特徴とするクリックカウント装置が記載されている。この装置によれば、複数のファイルから一つのファイルへリンクが張られている場合、どのリンク元からどれぐらいアクセスされたかのカウント数を把握することができる。
しかしながら、特許文献１をはじめとする従来の技術では、画面上のバナー広告にリンクが張ってある場合、クリックすると、いったんクリックカウントプログラムを起動させて、そのプログラムによってリンクページを表示させるようになっているため、クリックカウントプログラムに不具合が生じていたりすると、リンク先のページが表示されないため、ナビゲーションに影響があった。
また、従来の方法では、同一ページに同一リンク先が複数存在する場合に、クリック位置毎に別々にカウントすることができなかった。さらに、カウントプログラムでエラーが起こったりした場合には、サイトナビゲーションができない（リンクを表示できない）場合があった。
さらに、リンク元画面がｆｌａｓｈにより提供される場合には、ｆｌａｓｈ内のボタンをクリックしてｆｌａｓｈ内のコンテンツを変えてもｆｌａｓｈ内で全ての処理が行われるため、ウェブサーバには何も通知がなく、リンク元画面でどのボタンがクリックされたか、リンク先画面のどこまで見てもらえたかなど全く把握できず、クリック数を個別にカウントすることが困難であった。
【０００５】
【特許文献１】特開２００２−１４０２５１号公報
【発明の開示】
【発明が解決しようとする課題】
【０００６】
本発明の目的は、上記のような従来の問題点を解決し、クリックカウントプログラムにエラーが起こっても、クリック回数がカウントされると共にリンク先画面が表示され、ユーザーのナビゲーションに影響のないクリックカウントシステムを提供することにある。
また、本発明の他の目的は、同一ページに同一リンク先が複数あってもリンク毎に別々にカウントすることができるようにしたクリックカウントシステムを提供することにある。
さらに、本発明の他の目的は、リンク先へページが切り替わらなくても、クリックカウントを独立して行うことができるようにしたクリックカウントシステムを提供することにある。
【課題を解決するための手段】
【０００７】
本発明は、上記目的を達成すべく鋭意検討を重ねた結果、クリック部をクリックしてリンクをリクエストした場合に、リンクされた前記リンク先画面へのアクセスを行う処理を、クリックカウンターと独立して開始することにより、上記従来の問題点を解決できることを見出し、本発明に到達した。
【０００８】
即ち、請求項１にかかるクリックカウントシステムは、
ネットワークを介して表示されたリンク元画面とリンク元画面からリンクされたリンク先画面とを表示し、リンク先画面へのクリック数をカウントするためのクリックカウントシステムであって、
リンク元画面からリンク先画面にアクセスするためのクリック部を設けると共に、
クリック部を表示するためのクリック表示手段と、
クリック部ごとに独立してクリック回数をカウントするクリックカウント手段と、
クリック部をクリックした場合に、
リンクされたリンク先画面へのアクセスを、クリックカウント手段とは独立して開始するリンク手段と、
クリックカウント手段でカウントされたクリック数を出力する出力手段と、
を有することを特徴とする。
この場合において、請求項２に記載するように、出力手段は、更に、クリックカウント手段によってクリックをカウントした日時を出力し、日時ごとのクリック数の統計処理を行うことが好ましい。
【０００９】
また、請求項３に記載するように、
請求項１又は２のクリックカウントシステムに加えて、クリックされたクリック部及びそのクリック部の存在するリンク元画面を解析するリンク元解析手段を更に有し、
クリックカウント手段は、リンク元解析手段が解析したリンク元画面のクリック部ごとにクリック数をカウントし、
出力手段は、クリックカウント手段でカウントされたリンク元画面のクリック部ごとのクリック数を出力することが好ましい。
更に、請求項４に記載するように、出力手段は、更に、リンク元画面のクリック部ごとのクリック数の統計処理を行うことが好ましい。
【００１０】
そして、請求項５に記載するように、
請求項４において、出力手段は、更に、クリック数の統計処理の結果を、ネットワークを介して特定の端末に定期的に送信することが好ましい。
更にまた、請求項６に記載するように、
請求項３〜５のいずれかにおいて、リンク元解析手段は、リンク元である検索エンジンで入力されたキーワードから検索エンジン側で生成されたリンクによりリンクされる際に、リンク元から伝達される検索エンジンで入力されたキーワードであることを解析し、
その結果を検索キーワード解析手段に送出すると共に、
出力手段は、検索キーワード解析手段により解析されたキーワードに基づきクリック数の統計処理を行うことを特徴とする。
【発明の効果】
【００１１】
本発明により、クリック部をクリックした場合に、リンクされた前記リンク先画面へのアクセスを行う処理を、クリックカウント手段と独立して開始するので、クリック部でエラーが起こってもナビゲーションに影響を与えることのないクリックカウントシステムを提供することができる。
また、本発明によれば、同一ページに同じリンク先へのクリック部が複数ある場合や、同一リンク先画面へのクリック部が複数のページにある場合において、クリック数をすべて別々にカウントすることができる。
また、所望によりクリック数や検索キーワードについての統計処理を取ることができ、
更に、統計処理の結果をメール等で定期的に特定の端末に送信することができる。
【発明を実施するための最良の形態】
【００１２】
以下、本発明の一実施形態に係るクリックカウントシステムについて、図面を参照しながら説明する。
請求項１に係るクリックカウントシステムは、ネットワークを介して表示されたリンク元画面と前記リンク元画面からリンクされたリンク先画面とを表示し、前記リンク先画面へのクリック数をカウントするためのクリックカウントシステムである。
【００１３】
本実施形態のシステムの全体構成を、図１に示す。
図１は、本実施形態の構成を示すブロック図である。図１において、ウェブサーバＡ１は、電話回線などを経由してネットワークＡ２に接続されている。ウェブサーバＡ１としては、通常のインターネットを利用して、ホームページの提供をできるようなものであれば、特にその種類は問われるものではなく、例えば、通常のパーソナルコンピュータなども使用できる。ネットワークＡ２は、公知のネットワークであり、例えば、インターネットなどが該当する。
ウェブサーバＡ１からは、１又は複数のリンク元画面及びリンク先画面が提供される。各種の利用者端末Ａ３は、同様に電話回線などを通じてネットワークＡ２に接続されている。この利用者端末Ａ３の中には、リンク先画面を提供する企業の端末も含まれる。
また、管理者端末Ａ４も、同様に電話回線などを通じてネットワークＡ２に接続されている。
【００１４】
ウェブサーバＡ１の全体構成を、図２に示す。ウェブサーバＡ１は、クリック表示手段１１、リンク手段１２、クリックカウント手段１３、及び出力手段１４を有する。
また、どのリンク元から来訪したかを知るために、リンク元ごとのクリック数を解析したい場合には、リンク元解析手段１５を備えることもできる。
更に、いわゆる検索エンジンから来訪した場合に、どんなキーワードにより検索を行ったかを知りたい場合には、検索キーワード解析手段１６を備えることもできる。
その他、図示しないが、ウェブサーバＡ１全体を制御するための制御部（ＣＰＵ）、統計処理等を印刷するためのプリンタ、管理者等自身が手入力により処理するためのマウス及びキーボード、内容を記録するための各種記録媒体用ドライバーを備えることが望ましい。
【００１５】
クリック表示手段１１は、リンク元画面からリンク先画面にアクセスするためのクリック部Ｃを表示する。クリック部Ｃは、一つのリンク元画面に複数表示され、それぞれが複数のリンク先画面にアクセスするためのものであっても良いし、それぞれが同じリンク先画面にアクセスするためのものであっても良い。
クリック部Ｃは、リンク元画面が格納されているウェブサーバＡ１の格納位置を示す情報が盛り込まれる部分であり、例えば、ユーザーによりマウス等でクリックすると、クリック信号としてネットワークを介してウェブサーバＡ１に送られるように表示される。
ＨＴＭＬ（ｈｙｐｅｒ  ｔｅｘｔ  ｍａｒｋｕｐ  ｌａｎｇｕａｇｅ）を用いて構成されているホームページの場合は、画面に表示される文字データの他にタグと呼ばれる通常画面に表示されない所定の処理を行うための情報が付されており、このタグによって次ページや画像データを構成する別ファイルを開くための処理を行う。
例えば、ビール（ｌｉｎｋ．ｈｔｍｌが格納されているとする）、日本酒、ウイスキー、プレゼントキャンペーンというクリック部Ｃを有する場合、
ビールのクリック部Ｃがクリックされると、そのクリック部Ｃに格納されたリンク先（ｌｉｎｋ．ｈｔｍｌ）をサーバに送信する。
サーバは、送信されたリンク先（ｌｉｎｋ．ｈｔｍｌ）のＨＴＭＬのタグを読み取り、ページを表示する。
なお、クリック部のデザインについては特に限定はなく、例えば、リンク先画面の商品のバナー広告等として静止画又は動画とすることができる。
【００１６】
ここで、リンクとは、リンク先画面からリンク元画面への一連のつながり（いわゆる道筋）である。また、リンク元画面とは、リンク先画面へのクリック部を格納した画面である。
一方、リンク先画面とは、クリック部をクリックされた後に表示される画面をいう。したがって、リンク元画面が複数あって、いくつかのリンク元画面を介してリンク先画面が表示される場合（即ち、リンク先画面と間接的にリンクしている場合）もありうるし、一画面中で一つのリンク先画面に対し１又は複数のリンクが存在する場合もある。
また、リンク先画面も複数あってもよく、この場合はそれぞれのリンク先画面についてリンク先画面が１又は複数存在する。
【００１７】
リンク元画面とリンク先画面とは、ウェブサーバＡ１に格納されているが、それぞれ複数の画面が異なるサーバに格納されているものであっても良い。
これらの画面は、ｆｌａｓｈ、ＨＴＭＬどちらの表示でもよく、ネットワークを介して表示可能に作成されるものを適宜用いることができるが、例えば、インターネットで一般的に利用されているＷＷＷ（ワールドワイドウェブ）によるものとして、ＵＲＬにより存在場所が表記され、マークアップ言語で作成されたものを用いることができる。
【００１８】
図３にクリック部Ｃの表示されたリンク元画面の表示例を示す。リンク元画面には、ウェブサーバＡ１に格納されているオブジェクトの内容のほか、リンク元画面のＵＲＬ、マウスポインタ、バナー広告などのクリック部Ｃ（クリック部Ｃ１、クリック部Ｃ２、クリック部Ｃ３）が表示されている。
このように、例えばリンク元画面は検索エンジン等の不特定多数の人が見る画面であり、リンク先画面は、商品メーカーの提供するある商品の広告の画面とすることができる。
リンク元画面及びリンク先画面の具体例を、図４に示す。図４中左がリンク元画面であり、右がリンク先画面である。
【００１９】
リンク手段１２は、前記クリック部Ｃをクリックした場合に、リンクされた前記リンク先画面へのアクセスを行う処理をクリックカウント手段１３と独立して開始する。
ここで、アクセスを行う処理をクリックカウント手段１３と独立して開始するとは、図４に示すように、例えばプログラム上のトラッピング回路等を用いて、クリックカウント手段１３の起動いかんに関わらずリンクされたリンク先画面にアクセスを行う処理をすることをいう。これにより、ユーザーのリンク先画面へのナビゲーションが妨げられる心配がないので、好ましい。
また、リンク先画面にアクセスを行う処理とは、ユーザーがクリックしたリンク元画面からリンク先画面まで、本システム上の複数のリンク元画面を介する場合には、直接リンク先画面へアクセスするのではなく、それぞれのリンク元画面をたどってリンク先画面へのアクセスを進めることを意味する。
【００２０】
クリックカウント手段１３は、前記クリック表示手段１１によって表示されたクリック部Ｃごとに独立してクリック回数をカウントする処理を行う。例えば図３におけるクリック部Ｃ１、Ｃ２、Ｃ３ごとにカウントする処理をいう。
クリックカウント手段１３は、例えば、クリック部Ｃがマウス等によってクリックされたクリック信号を取得した際に、ネットワークを通じて接続されているウェブサーバＡ１のＣＧＩなどを介して起動される。クリックカウント手段１３としては、ｆｌａｓｈ、ＨＴＭＬどちらの表示でもクリックのカウントができる公知のクリックカウントプログラムを用いることができる。
このようなクリックカウント手段１３は、リンク元解析手段１５を設ける場合、リンク元解析手段１５が解析したリンク元（ＵＲＬ）ごとにクリック数をカウントする。即ち、クリックカウントプログラムが、リンク元解析手段１５が解析したリンク元ごとにクリック数をカウントする。
【００２１】
出力手段１４は、クリックカウント手段１３でカウントされたクリック数を出力する。即ち、その時点までのクリック部のカウント数を累積しており、クリックカウント手段１３がクリック信号を取得した際に、累積値をクリック回数分更新する。
出力手段１４は、クリックカウント手段１３でクリックをカウントした日時を出力し、日時ごとのクリック数の統計処理を行うことが好ましい。このような統計処理は、公知の統計処理ソフトを用いて行うことができる。
【００２２】
更にまた、出力手段１４は、本発明においてリンク元解析手段１５を設ける場合、クリックカウント手段１３でカウントされたリンク元ごとのクリック数を出力することができる。即ち、リンク元画面（１ページに複数のクリック部を持つ場合は、それぞれのクリック部）のクリック回数が明確に把握可能となるので、アクセス度を知ることができると共に、どのクリック部に張られたリンク経路をたどってリンク先画面へたどり着く頻度が高いかを知ることができる。
【００２３】
また、出力手段１４において、クリックカウント手段１３でクリックをカウントした日時をも出力すると共に、リンク元画面ごとのクリック数の統計処理が可能であるので、商品開発のための有益なデータを容易に得ることができ、より好ましい。例えば、リンク元画面のクリック部の種類とリンク経路におけるそれぞれのリンク先画面の閲覧率、日付、曜日などとの関係を知ることにより、ホームページへのリンクの張り方を研究することができる。
統計処理は、上記の場合と同様に、公知の統計処理ソフトを用いて行うことができる。
【００２４】
図５に出力手段１４が行った統計処理の結果の一例を示す。本実施形態では、統計結果がグラフや表にまとめられている。このようなグラフや表を、リンク先画面ごとにまとめることができる。
【００２５】
そして、これらのクリック数の統計処理（リンク先画面ごとではない場合も含む）の結果は、ネットワークを介して特定の端末に定期的に送信することができる。例えば、週報、月報といった形で特定の曜日、又は毎月特定の日に、テキスト形式やＨＴＭＬ形式のメール（メール本文或いは添付ファイル）を自動的に作成し、各リンク先画面を提供する企業等に送信する。
尚、クリックカウント手段１３において正常なカウントができなかった場合には、その旨を出力手段１４がネットワークを介して管理者の端末に通知することにより、早期にシステムの建て直しが可能となり、正確なカウントが可能となるので、より好ましい。通知は、例えば、管理者のメールアドレス宛にネットワークを介したメールで行うことができる。
更に、検索キーワード解析手段１６を設ける場合には、出力手段１４は、解析されたキーワードに基づきクリック数の統計処理を行うことができる。
【００２６】
リンク元解析手段１５は、クリックされたクリック部及びそのクリック部の存在するリンク元画面を解析する。例えば、クリックの際にリンク元画面のＵＲＬが蓄積され、クリックされたＵＲＬの数を統計処理する。また、同一リンク元画面にクリック部が複数ある場合も解析することができる。
リンク元解析の具体例を、図６に示す。リンク元画面（図６の左側画面）からリンク先画面（図６の右側画面）にリンクが張られている場合、リンク先画面を表示させたい場合にはリンク元画面の「ＡＢＣＤＥ」表示部をクリックすることになるが、この際にリンク元解析手段１５がリンク元画面の解析をすることになる。
【００２７】
検索キーワード解析手段１６は、リンク元である検索エンジンで入力されたキーワードから検索エンジン側で生成されたリンクによりリンクされる際に、リンク元から伝達される検索エンジンで入力されたキーワードを解析する。
尚、検索エンジンの形式は特に限定されず、自己申請登録制のものであっても良いし、自動的にページ内のデータを集めるロボット型であっても良い。
検索キーワード解析の具体例を、図７に示す。リンク元画面（図７の左側画面参照）の検索エンジンにおいて、キーワード「○○○ビール」入力することによりリンク先画面（図７の右側画面参照）が表示された場合には、検索キーワード解析手段１６は、このキーワード「○○○ビール」を解析することとなる。
解析したキーワードは、データとして保存された後、出力手段１４に送出され、統計処理に用いられる。
【００２８】
本実施形態におけるこれらの一連の処理は、プログラミング言語を用いることにより、自動的に行うことができる。
本実施形態のシステムのプログラムの一例を図８に挙げる。図８のプログラムによれば、まずユーザーがクリック部をクリックしたときに、ウェブサーバへリンク先画面のＵＲＬをリクエストする前にＪａｖａ（登録商標）ｓｃｒｉｐｔを呼ぶ（図８の（１）参照）。すると、Ｊａｖａ（登録商標）ｓｃｒｉｐｔではリンク位置をセット（位置情報を記憶）してクリックカウントプログラム（即ち、クリックカウント手段１３）を呼ぶ（図８の（２）参照）。
次に、クリックカウントプログラムの処理結果を待たずに、制御をＨＴＭＬへ戻す（図８の（３）参照）。
そして、リンク先画面をウェブサーバＡ１へリクエストする（図８の（４）参照）。
このように図８に示すようなプログラムによれば、同一のリンク元画面（同一ページ）に同じリンク先画面へのリンクを示す複数のクリック部があっても、すべて別々にカウントが可能である。
また、クリックカウントプログラム（即ち、クリックカウント手段１３）でエラーが生じたり、カウントプログラム自体が存在しなくても、すべてのナビゲーションが通常通り可能であるので、ユーザーに支障がない。
更に、ｆｌａｓｈのように、必要なコンテンツ、プログラムを全て取得してからプログラムを実行して画面表示を動的に切り替える方式で作成された画面のクリック部に関しても、全てカウントが可能である。
【００２９】
次に本実施形態にかかるクリックカウントシステムの操作について図９に基づいて説明する。図９の左側には利用者のブラウザ側に表示される内容を、図９右側には本システムの概要を示す。
まず、前提として、利用者が利用者端末Ａ３を操作して、ネットワークに接続し、リンク元画面としてのindex. html（図９の左上参照）を表示させる。このindex. htmlには、クリック部としての「link. htmlへのリンク」、「link2. htmlへのリンク」、及び「link. htmlへのリンク」が表示されている（すなわち、同一のリンク元画面（同一ページ）に同じリンク先画面へのリンクを示す複数のクリック部が表示されている。）。
利用者がlink. htmlをリクエストするためにマウス等により「link. htmlへのリンク」をクリックすると、本システムが起動し（Ｓｔａｒｔ）、クリックカウント処理が行われる（ステップ１０１）。リンク手段１２、リンク元解析手段１５及びクリックカウント手段１３が起動し、リンク手段１２が、リンクされたリンク先画面へのアクセスを行う処理をクリックカウント手段１３と独立して開始し（ステップ１０２）、リンク先画面としての「link. html」（図９の左下段参照）を利用者端末Ａ３に提供する（ステップ１０３）。
そして、クリックカウント手段１３による処理が正常に終了した場合、（ステップ１０４のＹｅｓ）、ステップ１０５へ進む。
一方、正常なカウントができなかった等、クリックカウント処理が正常に終了しなかった場合は（ステップ１０４のＮｏ）、その旨が出力手段１４に送出され（ステップ１０４−１）、出力手段１４は、管理者端末Ａ４にあてて異常を知らせるメールを送信し（ステップ１０４−２）、プロセスは終了する。
次に、リンク元解析手段１５が、リンク元である検索エンジンで入力されたキーワードから検索エンジン側で生成されたリンクによりリンクされる際に、リンク元から伝達される検索エンジンで入力されたキーワードがあるか否かを判断し、ある場合は（ステップ１０５のＹｅｓ）、検索キーワード解析手段１６により検索キーワードを解析する（ステップ１０６）。
一方、検索キーワードがない場合は（ステップ１０５のＮｏ）、ステップ１０７に進む。
次に、リンク元（参照元）ＵＲＬが明らかな場合には（ステップ１０７のＹｅｓ）、リンク元解析手段１５がリンク元（参照元）ＵＲＬの解析を行う（ステップ１０８）。
これに対し、リンク元画面のＵＲＬが不明な場合は（ステップ１０７のＮｏ）、処理を終了する。
尚、処理終了前または後の適当な時期に、出力手段１４は、リンク元画面ごとのクリック数、クリック数をカウントした日時を出力し、更に必要に応じて検索キーワードを出力して、リンク元画面ごとのクリック数の統計処理を行ない、必要に応じて統計処理の結果をメール等で定期的に特定の端末に送信する。
【産業上の利用可能性】
【００３０】
本発明により、クリック部をクリックした場合に、リンクされた前記リンク先画面へのアクセスを行う処理を、クリックカウント手段と独立して開始するので、クリック部でエラーが起こってもナビゲーションに影響を与えることのないクリックカウントシステムが提供される。
また、本発明によれば、同一ページに同じリンク先が複数ある場合や、同一リンク先画面へのクリック部が複数のページにある場合において、クリック数をすべて別々にカウントすることができる。
さらに、リンク元画面がｆｌａｓｈにより提供され、ｆｌａｓｈ内のボタンをクリックしてｆｌａｓｈ内のコンテンツを変えても、リンク元画面でどのボタンがクリックされたか、リンク先画面のどこまで見てもらえたかなどを把握でき、クリック数を個別にカウントすることができる。
また、所望によりクリック数や検索キーワードについての統計処理を取ることができ、統計処理の結果をメール等で定期的に特定の端末に送信することができる。
【図面の簡単な説明】
【００３１】
【図１】本実施形態のシステムの全体構成を示す説明図である。
【図２】ウェブサーバＡ１の全体構成を示す説明図である。
【図３】クリック部の表示されたリンク元画面の表示例を示す図である。
【図４】リンク元画面及びリンク先画面の具体例を示す図である。
【図５】出力手段が処理した統計処理の結果の一例を示す図である。
【図６】リンク元解析の具体例を示す図である。
【図７】検索キーワード解析の具体例を示す図である。
【図８】本実施形態のシステムのプログラムの一例を示す図である。
【図９】本実施形態にかかるクリックカウントシステムの操作の流れを示す説明図である。
【符号の説明】
【００３２】
Ａ１  ウェブサーバ
Ａ２  ネットワーク
Ａ３  利用者端末
Ａ４  管理者端末
Ｃ  クリック部
１１  クリック表示手段
１２  リンク手段
１３  クリックカウント手段
１４  出力手段
１５  リンク元解析手段
１６  検索キーワード解析手段
【図１】
2005099962.tif 000003
【図２】
2005099962.tif 000004
【図４】
2005099962.tif 000005
【図５】
2005099962.tif 000006
【図６】
2005099962.tif 000007
【図７】
2005099962.tif 000008
【図８】
2005099962.tif 000009
【図３】
2005099962.tif 000010
【図９】
2005099962.tif 000011